(57)【要約】【課題】ケーブルを新たに追加付設したりリニューアルしたりする際に、保護管の径が細い場合であっても、必要なケーブルを充分に内蔵することができ、また耐久性においても優れるケーブル用地中埋設管を提供すること。【解決手段】通信ケーブルを挿入する高防食性の合成樹脂からなる保護管２に、該保護管２の内部を長手方向に亘り上下に分割するネット状物３を設け、分割した保護管２の上部空間２１に引き込みケーブル５を、下部空間２２に幹線ケーブル４を挿入するようにする。【選択図】図１
2006174544.tif 000002
【特許請求の範囲】
【請求項１】
通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入するようにしたことを特徴とするケーブル用地中埋設管。
【請求項２】
保護管の内部を上下に分割し、引き込みケーブルを上部空間に挿入するようにしたことを特徴とする請求項１記載のケーブル用地中埋設管。
【請求項３】
保護管の内部を空間容積を違えて分割し、引き込みケーブルを空間容積の小さい方に挿入するようにしたことを特徴とする請求項１又は２記載のケーブル用地中埋設管。
【請求項４】
引き込みケーブル側の保護管の周面に、分岐管を接続する少なくとも１つの接続孔を設けたことを特徴とする請求項１、２又は３記載のケーブル用地中埋設管。
【請求項５】
保護管の少なくとも一方の端部に保護管同士を接続するスリーブを設けたことを特徴とする請求項１、２、３又は４記載のケーブル用地中埋設管。
【請求項６】
保護管に分岐管を水密に接続したことを特徴とする請求項１、２、３、４又は５記載のケーブル用地中埋設管。
【請求項７】
分岐管を備えた継ぎ手により保護管を接続したことを請求項１、２、３、４、５又は６記載のケーブル用地中埋設管。
【請求項８】
ネット状物を、熱可塑性合成樹脂の単糸同士により角目又は菱目を形成して、その交差部を溶着することにより形成したことを特徴とする請求項１、２、３、４、５、６又は７記載のケーブル用地中埋設管。
【請求項９】
保護管、分岐管、継ぎ手及び／又はネット状物を熱可塑性合成樹脂で形成したことを特徴とする請求項１、２、３、４、５、６、７又は８記載のケーブル用地中埋設管。
【請求項１０】
保護管、分岐管、継ぎ手及び／又はネット状物を塩化ビニル樹脂で形成したことを特徴とする請求項１、２、３、４、５、６、７、８又は９記載のケーブル用地中埋設管。
【請求項１１】
ネット状物を半円筒形に形成したことを特徴とする請求項１、２、３、４、５、６、７、８、９又は１０記載のケーブル用地中埋設管。
【請求項１２】
通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入するようにしたことを特徴とするケーブル用地中埋設管の配設構造。
【請求項１３】
保護管の内部を上下に分割し、引き込みケーブルを上部空間に挿入するようにしたことを特徴とする請求項１２記載のケーブル用地中埋設管の配設構造。
【請求項１４】
保護管の内部を空間容積を違えて分割し、引き込みケーブルを空間容積の小さい方に挿入するようにしたことを特徴とする請求項１２又は１３記載のケーブル用地中埋設管の配設構造。
【請求項１５】
引き込みケーブル側の保護管周面に、分岐管を接続する少なくとも１つの接続孔を設けるとともに、保護管の少なくとも一方の端部に保護管同士を接続するスリーブを設け、保護管同士及び保護管と分岐管とをそれぞれ水密に接続したことを特徴とする請求項１２、１３又は１４記載のケーブル用地中埋設管の配設構造。
【請求項１６】
分岐管を備えた継ぎ手により保護管を接続したことを特徴とする請求項１２、１３、１４又は１５記載のケーブル用地中埋設管の配設構造。
【請求項１７】
保護管、分岐管、継ぎ手及び／又はネット状物を熱可塑性合成樹脂で形成するとともに、ネット状物を、熱可塑性合成樹脂の単糸同士により角目又は菱目を形成して、その交差部を溶着することにより形成したことを特徴とする請求項１２、１３、１４、１５又は１６記載のケーブル用地中埋設管の配設構造。
【請求項１８】
保護管、分岐管、継ぎ手及び／又はネット状物を塩化ビニル樹脂で形成するとともに、ネット状物を半円筒形に形成したことを特徴とする請求項１２、１３、１４、１５、１６又は１７記載のケーブル用地中埋設管の配設構造。
【発明の詳細な説明】
【技術分野】
【０００１】
本発明は、ケーブル用地中埋設管及びその配設構造に関し、特に、通信や電力、放送等に使用されるケーブルを新たに追加付設する際に、径の細い管路に好適に使用することができるケーブル用地中埋設管及びその配設構造に関する。
【背景技術】
【０００２】
通信や電力、放送等に使用されるケーブルにおいては、特に、ケーブルを新たに追加付設する際に、新たな問題が個々に多様な形態で発生し、これ等を改良し解決する工夫が従来から数多く提案され使用されている。
【０００３】
その一例として、特許文献１には、断面横小判形の保護管の中心に内周面と接触させて幹線ケーブル用の丸形の内管を設け、内管の両側に対称にそれぞれ複数の引き込みケーブル用の空間を設けた保護管とその地中へのケーブル敷設方法及び地中管路敷設構造が開示されている。
また、特許文献２には、断面丸形の二重管でその二重管の間を略均等に分割してそれぞれ複数の幹線ケーブル用の空間を設けるとともに、二重管の内管で幹線ケーブル用管を設けたケーブル用地中埋設管が開示されている。
さらに、特許文献３には、断面丸形の保護管の内部にホース状のケーブル押圧体を挿入し、該ケーブル押圧体を膨張させることにより、幹線ケーブルと引き込みケーブルとを保護管の内壁面に押し付ける地中埋設管のケーブル用収容空間作製方法が開示されている。
【０００４】
しかしながら、特許文献１に記載のものは、保護管のその断面形状から土圧に弱く、ヘコミや破損が生じた時にはその補修に多大な手間を要し、また、特許文献２に記載のものは、土圧に強くかつバランスよく各ケーブルを配設できるものの、引き込みケーブルの配設位置によりその取り出しや外部との接続に手間を要し、さらに、特許文献３に記載のものは、保護管の内部空間を最大限に活用する目的としているが、ケーブル同士の絡みや摩擦が生じることで、前記二者同様に、ケーブルの取り出しや外部との接続に手間を要するという大きな問題を残している。
【特許文献１】特開２００２−２４７７２４号公報
【特許文献２】特開２００３−１４３７２５号公報
【特許文献３】特開２００３−１４３７２６号公報
【発明の開示】
【発明が解決しようとする課題】
【０００５】
本発明は、上記従来のケーブル用地中埋設管及びその配設構造が有する問題点に鑑み、前記ケーブルを新たに追加付設したりリニューアルしたりする際に、保護管の径が細い場合であっても、必要なケーブルを充分に内蔵することができ、また耐久性においても優れるケーブル用地中埋設管及びその配設構造を提供することを目的とする。
【課題を解決するための手段】
【０００６】
上記目的を達成するため、本発明のケーブル用地中埋設管は、通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入するようにしたことを特徴とする。
【０００７】
この場合において、保護管の内部を上下に分割し、引き込みケーブルを上部空間に挿入し、あるいは、保護管の内部を空間容積を違えて分割し、引き込みケーブルを空間容積の小さい方に挿入することができる。
【０００８】
また、引き込みケーブル側の保護管の周面に、分岐管を接続する少なくとも１つの接続孔を設けたり、保護管の少なくとも一方の端部に保護管同士を接続するスリーブを設けたり、保護管に分岐管を水密に接続したり、あるいは分岐管を備えた継ぎ手により保護管を接続することができる。
【０００９】
さらに、ネット状物を、熱可塑性合成樹脂の単糸同士により角目又は菱目を形成して、その交差部を溶着することにより形成したり、保護管、分岐管、継ぎ手及び／又はネット状物を熱可塑性合成樹脂又は塩化ビニル樹脂で形成したり、ネット状物を半円筒形に形成したりすることができる。
【００１０】
一方、同じ目的を達成するため、本発明のケーブル用地中埋設管の配設構造は、通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入するようにしたことを特徴とする。
【００１１】
この場合において、保護管の内部を上下に分割し、引き込みケーブルを上部空間に挿入したり、保護管の内部を空間容積を違えて分割し、引き込みケーブルを空間容積の小さい方に挿入したり、引き込みケーブル側の保護管周面に、分岐管を接続する少なくとも１つの接続孔を設けるとともに、保護管の少なくとも一方の端部に保護管同士を接続するスリーブを設け、保護管同士及び保護管と分岐管とをそれぞれ水密に接続したり、あるいは、分岐管を備えた継ぎ手により保護管を接続することができる。
【００１２】
また、保護管、分岐管、継ぎ手及び／又はネット状物を熱可塑性合成樹脂で形成するとともに、ネット状物を、熱可塑性合成樹脂の単糸同士により角目又は菱目を形成して、その交差部を溶着することにより形成したり、保護管、分岐管、継ぎ手及び／又はネット状物を塩化ビニル樹脂で形成したり、ネット状物を半円筒形に形成することができる。
【発明の効果】
【００１３】
本発明のケーブル用地中埋設管によれば、通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入することから、地中埋設管の内部が明確に区画され、幹線ケーブルや引き込みケーブル等の地中埋設管内への出し入れ作業の効率を著しく向上させることができる。
【００１４】
また、保護管の内部を上下に分割し、引き込みケーブルを上部空間に挿入し、あるいは、保護管の内部を空間容積を違えて分割し、引き込みケーブルを空間容積の小さい方に挿入することにより、幹線ケーブルや引き込みケーブル等の地中埋設管内への出し入れ作業の効率をより一層向上させることができる。
【００１５】
また、引き込みケーブル側の保護管の周面に、分岐管を接続する少なくとも１つの接続孔を設けたり、保護管の少なくとも一方の端部に保護管同士を接続するスリーブを設けたり、保護管に分岐管を水密に接続したり、あるいは分岐管を備えた継ぎ手により保護管を接続することにより、引き込みケーブル等の地中埋設管内への出し入れ作業の効率は上記以上に向上する上に、ケーブル用地中埋設管とその各部材がユニット化され、これ等同士の貼着剤等の接合手段を用いた水密化作業が非常に楽になる。
【００１６】
さらに、ネット状物を、熱可塑性合成樹脂の単糸同士により角目又は菱目を形成して、その交差部を溶着することにより形成したり、保護管、分岐管、継ぎ手及び／又はネット状物を熱可塑性合成樹脂で形成することにより、ネット状物の保護管内部への強着が簡易にでき、かつ、単糸はより糸に比べ剛性に優れ、ネット状物の腰が強くなることで、保護管内での弛みや歪みが無く、ケーブルの出し入れ作業中のトラブルを防止し、その上での引き込みケーブルの安定した載置が可能になる。
また、保護管、分岐管、継ぎ手及び／又はネット状物を塩化ビニル樹脂で形成することにより、接着剤を用いて簡単に強着することができ、ネット状物を半円筒形に形成することにより、ネット状物の保護管に対する接着面積を大きくすることが可能になる。
【００１７】
また、本発明のケーブル用地中埋設管の配設構造によれば、通信ケーブルを挿入する保護管に、該保護管の内部を長手方向に亘り直径方向に分割するネット状物を設け、分割した一方の内部空間に幹線ケーブルを、他方の内部空間に引き込みケーブルを挿入することから、その設置作業が簡便で作業後も長期に亘り安定した使用が可能になる。
【００１８】
この場合、保護管の内部を上下に分割し、引き込みケーブルを上部空間に挿入したり、保護管の内部を空間容積を違えて分割し、引き込みケーブルを空間容積の小さい方に挿入したり、引き込みケーブル側の保護管周面に、分岐管を接続する少なくとも１つの接続孔を設けるとともに、保護管の少なくとも一方の端部に保護管同士を接続するスリーブを設け、保護管同士及び保護管と分岐管とをそれぞれ水密に接続したり、あるいは、分岐管を備えた継ぎ手により保護管を接続することにより、その設置作業がより簡便で作業後もより長期に亘り安定した使用が可能になる。
【００１９】
また、保護管、分岐管、継ぎ手及び／又はネット状物を熱可塑性合成樹脂で形成するとともに、ネット状物を、熱可塑性合成樹脂の単糸同士により角目又は菱目を形成して、その交差部を溶着することにより形成したり、保護管、分岐管、継ぎ手及び／又はネット状物を塩化ビニル樹脂で形成したり、ネット状物を半円筒形に形成することにより、より以上に、その設置作業が簡便で作業後も長期に亘り安定した使用が可能になる。
【発明を実施するための最良の形態】
【００２０】
以下、本発明のケーブル用地中埋設管及びその配設構造の実施の形態を図面に基づいて説明する。
【実施例１】
【００２１】
図１に、本発明のケーブル用地中埋設管の第１実施例を示す。
このケーブル用地中埋設管１は、通信ケーブルを挿入する高防食性の合成樹脂からなる保護管２に、該保護管２の内部を長手方向に亘り上下に分割するネット状物３を設け、分割した保護管２の上部空間２１に引き込みケーブル５を、下部空間２２に幹線ケーブル４を挿入するようにしている。
ネット状物３は、半円筒形に形成されており、その筒壁により上部空間２１を形成するとともに、その円周部３０の外側が保護管２の内面に固着されている。
【００２２】
図２に、本実施例で用いるネット状物３の形状例をそれぞれ示す。
図２（ａ）はネット状物３を単糸で角目３１を形成した略半円筒形となし、図２（ｂ）では前記半円筒形から上半の円周部３０を省略した形となしている。
ネット状物３の端部には、複数のネット状物３を連結するための延設部３２が設けられており、図３（ｃ）に示すように、この延設部３２を隣接するネット状物３の内部に挿入して接合することにより、ネット状物３同士を接続することができる。この場合、延設部３２は、ネットの成形時に目潰し成形を行うことにより舌状（シート状）に形成することが好ましい。
ネット状物３は、保護管２の内部に単に挿入した状態で設置するほか、保護管２の内周面に接着剤や固定金具を用いることによって固定することもできる。
また、ネット状物３には、図３（ｄ）（図３（ａ）〜図３（ｃ））に示すような角目ネットのほか、図３（ｅ）に示すような菱目ネット、さらには、丸、楕円、三角、六角等の目合ネットも使用することができる。
【００２３】
このような保護管２やネット状物３には、成形性の良さや熱可塑性樹脂が、中でも、ビニル系の塩化ビニルや酢酸ビニル等がその接着性の良さから最適に使用でき、その他、オレフィン系のポリエチレン、ポリプロピレン等、これ等合成樹脂の混合体、これ等合成樹脂とエチレン−酢酸ビニル等の共重合体類やエラストマ−類や変性ポリオレフィン類等との混合物も好適に使用でき、また、天然、合成を問わず殆どの公知のゴムも併用して使用することができる。
【００２４】
このように、第１実施例におけるケーブル用地中埋設管１は、引き込みケーブル５を上部空間２１に挿入できるよう形成することで、幹線ケーブル４と引き込みケーブル５の地中埋設管１内への出し入れ作業の効率はより更に向上する。
【００２５】
また、図示省略するが、幹線ケーブル４に比べ相対的に引き込みケーブル５の予定容量が小さい場合には、そのように保護管２内部を空間容積を違えて分割し、引き込みケーブル５をその小さい方に挿入できるよう保護管２管の内部を明確に区画することにより、幹線ケーブル４や引き込みケーブル５等の保護管２内への出し入れ作業の効率が著しく向上するとともに、出し入れ作業後の保護管２内でのバランス効果が期待できることになる。
この場合、設計に応じて、保護管２内での幹線ケーブル４と引き込みケーブル５との上記関係を逆にすることも可能である。
【００２６】
さらに、ネット状物３を、熱可塑性合成樹脂の単糸同士で角目や菱目を形成するとともに、その交差部を溶着して形成し、保護管２や分岐管７、継ぎ手８を熱可塑性合成樹脂で形成することで、ネット状物３の保護管２内部への強着が簡易にでき、かつ、単糸はより糸に比べ剛性に優れ、ネット状物３の腰が強くなることで、保護管２内での弛みや歪みが無く、ケーブルの出し入れ作業中のトラブルを防止し、その上での引き込みケーブル５の安定した載置が可能になる。
また、保護管２や分岐管７、継ぎ手８、ネット状物３を塩化ビニル樹脂で形成することで、接着剤等の貼着剤を用いて簡単に強着でき、ネット状物３を、半円筒形に形成することで、接着面積を大きくすることが可能になる。
【実施例２】
【００２７】
図３に、本発明のケーブル用地中埋設管の第２実施例を示す。
このケーブル用地中埋設管１は、図３（ａ）に示すように、引き込みケーブル５側の保護管２の周面に、少なくとも１本の分岐管７を接続するための接続孔６を設けるとともに、図３（ｂ）〜（ｃ）に示すように、保護管２の接続孔６の部分に分岐管７を水密で接続している。
この場合、図３（ｄ）に示すように、分岐管７を備えた継ぎ手８を設け、該継ぎ手８により保護管２を接続することもできる。
【００２８】
このように、ケーブル用地中埋設管１を構成することにより、引き込みケーブル５等の地中埋設管１内への出し入れ作業の効率が第１実施例以上に向上するとともに、ケーブル用地中埋設管１とその各部材がユニット化され、これ等同士を公知の貼着剤等による接合手段で接合することにより、それ等接続部分の水密化作業が非常に楽になる。
【実施例３】
【００２９】
図４に、本発明のケーブル用地中埋設管の第３実施例を示す。
この第３実施例におけるケーブル用地中埋設管１は、保護管２の少なくとも一方の端部に、保護管２同士を接続するスリーブ９と、ネット状物３同士を接続する延設部３２を設け、保護管２同士の接続を簡易化しようとするものであり、これにより、保護管２同士の接続作業や水密化作業を著しく容易にしている。
【００３０】
このように、第２実施例又は第３実施例のケーブル用地中埋設管１は、引き込みケーブル５側の保護管２の周面に、分岐管７を接続する少なくとも１つの接続孔６を設けたり、保護管２の少なくとも一方の端部に保護管２同士を接続するスリーブ９を設けたり、保護管２に分岐管７を水密に接続したり、あるいは分岐管７を備えた継ぎ手８により保護管２を接続することにより、引き込みケーブル５等の地中埋設管１内への出し入れ作業の効率は上記以上に向上する上に、ケーブル用地中埋設管１とその各部材がユニット化され、これ等同士の貼着剤等の接合手段を用いた水密化作業が非常に楽になる。
【００３１】
さらに、ネット状物３を、熱可塑性合成樹脂の単糸同士により角目又は菱目を形成して、その交差部を溶着することにより形成したり、保護管２、分岐管７、継ぎ手８及び／又はネット状物３を熱可塑性合成樹脂で形成することにより、ネット状物３の保護管２内部への強着が簡易にでき、かつ、単糸はより糸に比べ剛性に優れ、ネット状物３の腰が強くなることで、保護管２内での弛みや歪みが無く、ケーブルの出し入れ作業中のトラブルを防止し、その上での引き込みケーブル５の安定した載置が可能になる。
また、保護管２、分岐管７、継ぎ手８及び／又はネット状物３を塩化ビニル樹脂で形成することにより、接着剤を用いて簡単に強着することができ、ネット状物３を半円筒形に形成することにより、ネット状物３の保護管２に対する接着面積を大きくすることが可能になる。
【実施例４】
【００３２】
次に、図５に、本発明のケーブル用地中埋設管の配設構造の一実施例を示す。
このケーブル用地中埋設管１の配設構造は、通信ケーブルを挿入する保護管２に、該保護管２の内部を長手方向に亘り上下に分割するネット状物３を設け、分割した一方の上部空間２１に引き込みケーブル５を、他方の内部空間に幹線ケーブル４を挿入するようにしている。
この場合、保護管２の内部を空間容積を違えて分割し、引き込みケーブル５を空間容積の小さい方に挿入するようにしたり、引き込みケーブル５側の保護管周面に、分岐管７を接続する少なくとも１つの接続孔６を設けたりすることができる。
また、保護管２の少なくとも一方の端部に保護管２同士を接続するスリーブ９を設け、保護管２同士及び保護管２と分岐管７とをそれぞれ水密に接続したり、あるいは、分岐管７を備えた継ぎ手８により保護管２を接続することができる（図３〜図４参照）。
引き込みケーブル５は、分岐管７から引き込み用管１０内を通して引き込み対象となるビルや住居や工場等の地上部や地下部に引き込まれている。
【００３３】
このようなケーブル用地中埋設管１の配設構造は、その設置作業が簡便で作業後も長期に亘り安定した使用が可能になり、特に、保護管２同士、保護管２と分岐管７を水密で接続し、分岐管７を備えた継ぎ手８により保護管２を接続していることから、よりその設置作業が簡便で作業後も長期に亘り安定した使用が可能になる。
【００３４】
さらに、このケーブルの配設構造は、ネット状物３や保護管２、分岐管７、継ぎ手８を熱可塑性合成樹脂で形成し、かつ、ネット状物３は単糸同士の交差部を溶着し形成した角目や菱目がよく、また、保護管２や分岐管７、継ぎ手８、ネット状物３を塩化ビニル樹脂で形成し、かつ、ネット状物３を、半円筒形に形成していることから、より以上に、その設置作業が簡便で作業後も長期に亘り安定した使用が可能になる。
【００３５】
以上、本発明のケーブル用地中埋設管及びその配設構造について複数の実施例に基づいて説明したが、本発明は上記実施例に記載した構成に限定されるものではなく、その趣旨を逸脱しない範囲において適宜その構成を変更することができる。
【産業上の利用可能性】
【００３６】
また、本発明のケーブル用地中埋設管及びその配設構造は、作業性、経済性、耐久性、強度性、耐候剤を添加した場合の耐候性等おいて優れることから、設置の地域や場所が限定されず、地上や室内外で好適に使用できるという特性を有し、ケーブル用地中埋設管として多種多様の用途に好適に用いることができる。
【図面の簡単な説明】
【００３７】
【図１】本発明のケーブル用地中埋設管の第１実施例を示し、それぞれ（ａ）は軸直交断面図、（ｂ）は軸平行断面図である。
【図２】同実施例のネット状物を示し、（ａ）は半円筒形のネット状物の斜視図、（ｂ）は帯状のネット状物の斜視図、（ｃ）は延設部により接続したネット状物の断面図、（ｄ）は角目ネットの説明図、（ｅ）は菱目ネットの説明図である。
【図３】本発明のケーブル用地中埋設管の第２実施例を示し、（ａ）は接続孔を設けた２面図、（ｂ）は分岐管を設けた２面図、（ｃ）は分岐管を設けた断面図、（ｄ）は分岐管を備えた継ぎ手により連結した断面図である。
【図４】本発明のケーブル用地中埋設管の第３実施例を示す軸平行断面図である。本発明の第５実施例を示す縦断正面図である。
【図５】本発明のケーブル用地中埋設管の配設構造の一実施例を示す断面図である。
【符号の説明】
【００３８】
１    ケーブル用地中埋設管
２    保護管
２１  上部空間
２２  下部空間
３    ネット状物
３０  円周部
３１  角目
３２  延設部
４    幹線ケーブル
５    引き込みケーブル
６    接続孔
７    分岐管
８    継ぎ手
９    スリーブ
１０  引き込み用管
【図１】
2006174544.tif 000003
【図２】
2006174544.tif 000004
【図３】
2006174544.tif 000005
【図４】
2006174544.tif 000006
【図５】
2006174544.tif 000007